(57)【要約】【課題】人が通常出入りしない非居室を換気しても換気手段の機能を低下させることなく、フィルタの掃除を容易に可能とする換気装置を提供する。【解決手段】換気装置は浴室の天井裏に設置され、該浴室内と第一の換気エリアの空気とを吸い込んで屋外に排出する換気手段と、換気手段に設けられた１つの排気ダクトと、換気手段と第一の換気エリアとを接続する接続ダクトと、接続ダクトの先端に設けられた第一の換気エリアの吸込部と、換気手段と浴室に連通された開口部とを有し、第一の換気エリアと第一の換気エリアに隣接する非居室である第二の換気エリアとを連通する連通手段と、連通手段の第一の換気エリア側に設けられたフィルタ手段とを有し、フィルタ手段は連通手段の一端に気密状態で配設され第一の換気エリアより着脱自在に設ける。【選択図】  図３
2004294039.tif 000002
【特許請求の範囲】
【請求項１】
浴室の天井裏に設置され、該浴室内および人の出入りする居室である第一の換気エリアの空気とを吸い込んで屋外に排出する換気手段と、前記換気手段に設けられた屋外に空気を排出するための排気ダクトと、前記換気手段と前記第一の換気エリアとを接続する接続ダクトと、前記接続ダクトの先端に設けられた前記第一の換気エリアの空気を吸い込むための吸込部と、前記換気手段と前記浴室とを連通する浴室に配設された開口部とを備えた換気装置において、前記第一の換気エリアと前記第一の換気エリアに隣接する人の出入りしない非居室である第二の換気エリアとを連通する連通手段と、前記連通手段の前記第一の換気エリア側に設けられたフィルタ手段とを有するとともに、前記フィルタ手段は前記連通手段の一端に気密状態で配設され前記第一の換気エリアより着脱自在に設けられていることを特徴とする換気装置。
【請求項２】
前記吸込部と前記連通手段とを一体に設けたことを特徴とする請求項１記載の換気装置。
【請求項３】
前記連通手段は、空気の通過量を可変するための吸気量可変機構を有することを特徴とする請求項１、２記載の空調装置。
【発明の詳細な説明】
【０００１】
【発明の属する技術分野】
本発明は、浴室の天井裏に設置され、該浴室内の空気と人の出入りする居室である第一の換気エリアの空気とを吸い込んで屋外に排出する換気手段と、換気手段に設けられた屋外に空気を排出するための１つの排気ダクトと、換気手段と第一の換気エリアを接続する接続ダクトと、換気手段と浴室に連通された開口部とを有する換気装置に関する。
【０００２】
【従来の技術】
従来、一般家庭における人の出入りしない非居室を換気するには、該非居室を換気するためだけに個別に換気手段を設け、直接的に該非居室の空気を吸い込んでいた（例えば特許文献１参照）。
【０００３】
【特許文献１】
特開平１０−１８５２５９号公報（第１図）。
【０００４】
【発明が解決しようとする課題】
しかしながら、上記従来の方法では、例えば天井裏や納戸などの非居室は通常人が出入りしない場所であるため、掃除をすることがないので埃などが多く、また埃も溜まり易い。このような非居室を換気手段にて直接的に空気を吸い込む場合は換気手段に埃が詰り、換気手段の機能が低下するという問題があった。また、換気手段にフィルタ等を配設させ、このフィルタにより埃の通過を遮断しても天井裏や納戸などではフィルタの掃除をすることが困難であるため、フィルタが埃で詰り、結果的に換気手段の機能が低下するという問題があった。
【０００５】
本発明は、上記課題を解決するためになされたもので、その目的は、人が通常出入りしない非居室を含む複数の居室を１基の換気手段で換気することが可能で、さらに、人の出入りする居室にて、非居室から吸気した空気を通過させるフィルタの交換や掃除を可能とする換気装置を提供することにある。
【０００６】
【課題を解決するための手段及びその作用・効果】
本発明の換気装置においては、浴室の天井裏に設置され、該浴室内および人の出入りする居室である第一の換気エリアの空気とを吸い込んで屋外に排出する換気手段と、前記換気手段に設けられた屋外に空気を排出するための排気ダクトと、前記換気手段と前記第一の換気エリアとを接続する接続ダクトと、前記接続ダクトの先端に設けられた前記第一の換気エリアの空気を吸い込むための吸込部と、前記換気手段と前記浴室とを連通する浴室に配設された開口部とを備えた換気装置において、前記第一の換気エリアと前記第一の換気エリアに隣接する人の出入りしない非居室である第二の換気エリアとを連通する連通手段と、前記連通手段の前記第一の換気エリア側に設けられたフィルタ手段とを有するとともに、前記フィルタ手段は前記連通手段の一端に気密状態で配設され前記第一の換気エリアより着脱自在に設けられていることを特徴としている。
【０００７】
この構成によれば、人が通常出入りしない第二の換気エリアを含む複数の居室を一つの換気手段で換気することが可能となり、さらに、人の出入りする第一の換気エリアにて、非居室から吸気した空気を通過させれるフィルタの交換や掃除が可能となる。  また、フィルタを第一の換気エリア側から着脱自在に設けられるようにしたため、フィルタの交換や掃除が簡単に行うことができる。
【０００８】
また、吸込部と連通手段とを一体に設けたことにより、一つの部材で第二の換気エリアから第一の換気エリアの空気の移動と第二の換気エリアから屋外への空気の移動を同時に行うことが可能となり、コストを安く抑えることができる。
【０００９】
さらに、連通手段は、空気の通過量を可変するための吸気量可変機構を有するようにしたため、第二の換気エリアの広さに応じた換気量の設定が可能となる。
【００１０】
【発明の実施の形態】
以下に、本発明の実施の形態を添付図面に基づいて詳細に説明する。図１は、本発明の一実施形態に係る換気装置の設置例を示す全体構成図であり、図２は、本発明の一実施形態に係る換気装置の断面図である。
【００１１】
図１に示すように、換気装置Ａは浴室Ｂの天井裏Ｄに設置されており、ケーシング１０に設置された制御装置３０と浴室Ｂの外壁面に設置された操作部８０とは信号線４で接続され、また、換気装置Ａは、屋外に通じる排気ダクト１と浴室Ｂに隣接する人の出入りする居室である第一の換気エリアとしての洗面所Ｃに通じる接続ダクト２と接続されており、接続ダクト２の先端には洗面所Ｃの空気を吸い込むための吸込部３を有する連通手段９が設けられている。
【００１２】
換気装置Ａは、図２に示すように、天井７に設けられた開口部３３に対して浴室Ｂより挿入されるように取付けられ、ケーシング１０と、ケーシング１０内に収められた換気手段１１と、換気装置Ａを制御する制御装置３０と、浴室Ｂ内の空気を吸い込むための吸込口３４を設けた化粧板３６と、制御装置３０に操作信号を送信する操作部８０とから構成されている。
【００１３】
また、換気手段１１は、換気ケーシング４１と、換気ケーシング４１に内蔵した浴室Ｂ内及び洗面所Ｃ内の空気を吸い込んで屋外へ排気するための排気用羽根車４２と、排気用羽根車４２を回転駆動する排気用モーター４４とから構成されている。
【００１４】
一方、連通手段９は、図３に示すように人の出入りする居室である第一の換気エリアとしての洗面所Ｃと人の出入りしない非居室である第二の換気エリアとしての天井裏Ｄを連通するための連通部２０と、洗面所Ｃの空気を吸い込むための吸込部３と、連通部２０内に設けられた空気の通過量を可変するための吸気量可変機構１５と、連通部２０の一端に気密状態で配設され洗面所Ｃより着脱自在に設けられているフィルタ手段３８と、洗面所Ｃ内の空気を吸い込むための吸込口４５と天井裏Ｄから洗面所Ｃ内へ空気を通過させるための開口４６とを設けた化粧板３６とから構成される。
【００１５】
吸気量可変機構１５は、円柱状の軸部１７と平板状のダンパー部１８とからなり、軸部１７を中心にダンパー部１８を回動させることにより任意の位置に設定できるように構成されている。
【００１６】
フィルタ手段３８は、一端に爪部３２を有しており、爪部３２を引き抜くことにより、洗面所Ｃより簡単に着脱することができる。
【００１７】
以上の構成において、浴室Ｂ及び洗面所Ｃの換気運転を行う場合は、操作部８０の換気運転スイッチ（図示しない）をオン操作すると、制御装置３０でその操作信号を受信して制御装置３０から排気用モーター４４に運転指令が出力され、排気用モーター４４が駆動して排気用羽根車４２が回転することで、浴室Ｂ内の空気が吸込口３４からケーシング１０内に入り、また、洗面所Ｃ内の空気が吸込口４５からフィルタ手段３８を介して吸込部３及び接続ダクト２を通ってケーシング１０内に入り、さらにそれぞれの空気が換気ケーシング４１内を通った後、排気ダクト１内を通って屋外へ排出されて、浴室Ｂ内及び洗面所Ｃ内の換気が行われる。
【００１８】
ここで、洗面所Ｃ内の空気が吸込まれることによって洗面所Ｃ内に負圧が生じるため、天井裏Ｄ内の空気が連通部２０よりフィルタ手段３８を介して開口４６を通過し、洗面所Ｃ内に引き込まれることになる。
【００１９】
さらに、天井裏Ｄより洗面所Ｃ内に引き込まれた空気は、吸込口４５からフィルタ手段３８を介して吸込部３及び接続ダクト２を通ってケーシング１０内に入り、さらに換気ケーシング４１内を通った後、排気ダクト１内を通って屋外へ排出され、結果的に天井裏Ｄ内の換気が行われることとなる。
【００２０】
その際、ダンパー部１８を回動させ、任意の位置に設定しておくことにより、連通部２０の風路を自由に調整することができ、天井裏Ｄから洗面所Ｃ内への空気の通過量を可変させることができる。
【００２１】
一方、天井裏Ｄは、人の出入りしない非居室であるため埃が多く、埃はフィルタ手段３８により捕獲されるため、換気手段１１に埃が詰ることなく、換気手段１１の機能を低下させずにすむ。
【００２２】
また、フィルタ手段３８を洗面所Ｃより簡単に着脱することができるため、フィルタ手段３８に捕獲された埃をフィルタ手段３８を取外すことにより簡単に掃除することができる。
【００２３】
上述した内容はあくまで本発明の一実施形態に関するものであって、本発明が上記内容のみに限定されることを意味されるものでない。例えば、換気装置に温風循環装置や除湿装置が付加されたものであってもよく、上記の説明においては、あくまで換気装置のみについて記述したものである。
【図面の簡単な説明】
【図１】本発明の一実施形態に係る換気装置の設置例を示す全体構成図である。
【図２】本発明の一実施形態に係る換気装置の断面図である。
【図３】本発明の一実施形態に係る連通手段の斜視図である。
【符号の説明】
Ａ…換気装置
Ｂ…浴室
Ｃ…洗面所
Ｄ…天井裏
１…排気ダクト
２…接続ダクト
３…吸込部
４…信号線
７…天井
９…連通手段
１０…ケーシング
１１…換気手段
１５…吸気量可変機構
１７…軸部
１８…ダンパー部
２０…連通部
３０…制御装置
３２…爪部
３３…開口部
３４…吸込口
３６…化粧板
３７…化粧板
３８…フィルタ手段
４１…換気ケーシング
４２…排気用羽根車
４４…排気用モーター
４５…吸込口
４６…開口
８０…操作部
【図１】
2004294039.tif 000003
【図２】
2004294039.tif 000004
【図３】
2004294039.tif 000005